Podtech/llm-jp-corpus-v4-ja_patent huggingface dataset:
(57)【要約】      （修正有）【課題】簡単な構成で、安価、一つの動作で取り付け及び取り外しが出来るステアリングハンドルに装着するテーブル。【解決手段】自動車のステアリングハンドルに略水平に一つの動作で装着可能とする、約４００（Ｗ）×約３００（Ｄ）×約１０（Ｈ）の平状の板に、自動車のステアリングハンドルの外径及び内径及びステアリングハンドルの握りの太さの直径及び自動車のステアリングハンドルの取り付け角度など其々の自動車のステアリングハンドルの形状及び寸法を鑑みた、所定の寸法の切り抜き部を設けることで、部材は少なく嵩と重量を小さくしたテーブル。【選択図】図３
0003104933.tif 000002
【実用新案登録請求の範囲】
【請求項１】
板状で、自動車のステアリングハンドルの上部及び下部のいずれかに装着し、略水平を保持する目的で所定の寸法の切り抜き部を設けたことを特徴としたテーブル。
【考案の詳細な説明】
【技術分野】
【０００１】
本考案は、自動車のステアリングハンドルに略水平に装着できるテーブル及び筆記台に関するものである。
【背景技術】
【０００２】
従来、自動車のステアリングハンドルに装着する目的の、組み立て式の簡易型テーブル及びパソコンなどを設置する器具は実用に供されている。
【０００３】
しかし、前記の簡易型テーブルは、いずれも複数の部材からなっていた。
【０００４】
また、前記の簡易型テーブルは、複数の部材をテーブル装着時に組立作業や調整作業が必要となり、一つの動作で取り付け及び取り外しが出来ないという欠点があった。
【０００５】
また、前記の簡易型テーブルは、収納時には嵩が大きくなるという欠点があった。
【特許文献１】特開２０００−３１８５３５号公報
【考案の開示】
【考案が解決しようとする課題】
【０００６】
解決しようとする問題点として、従来の簡易型テーブルは、複数の部材で構成されているために、製造原価は高くなり、また装着時に組み立て作業や調整作業を必要とするため、一つの動作で取り付け及び取り外しが出来ないという点である。
【課題を解決するための手段】
【０００７】
本考案は、板状の単一構造物に、所定の寸法の切り抜き部を具備することにより、自動車のステアリングハンドルに略水平に装着した状態を保つことができることを最も主要な特徴とするテーブルである。
【考案の効果】
【０００８】
本考案のテーブルは、嵩と重量が小さく、しかも安価に製造できる利点がある。
【０００９】
また、該テーブルは、自動車のステアリングハンドルに一つの動作で装着できる利点がある。
【考案を実施するための最良の形態】
【００１０】
平状の板に所定の寸法の切り抜き部を具備することで、自動車のステアリングハンドルに勘合状態となり略水平にテーブルが装着できる。
【実施例１】
【００１１】
例として、小型自動車の場合には、約４００（Ｗ）×約３００（Ｄ）×約１０（Ｈ）の平状の板に、自動車のステアリングハンドルの直径及びステアリングハンドルの握りの太さの直径を鑑みた寸法の切り抜き部を設ける。
【００１２】
また例として、自動車のステアリングハンドルの取り付け傾斜角度が約６５度の自動車では、略水平にテーブルを装着できる所定の切り抜き寸法は、図１及び図２の３に示すAとする。
【００１３】
また例として、自動車のステアリングハンドルの取り付け傾斜角度が約３０度の自動車では、略水平にテーブルを装着できる所定の切り抜き寸法は、図１及び図４の４に示すＢとする。
【００１４】
また、自動車のステアリングハンドルの外径は図１の５に示すＣであり、内径は図１の６に示すＤとした、所定の切り抜き寸法である。
【００１５】
また、自動車のステアリングハンドルの握りの太さの直径は図１の７に示すEとした、所定の切り抜き寸法である。
【００１６】
また、該テーブルを自動車のステアリングハンドルに装着したときに、ステアリングハンドルの握り部にかけるための突起部として図１の８に示すＦとした、所定の切り抜き寸法である。
【００１７】
また、ステアリングハンドルの握り部にかけるための突起部間の距離である図１の９に示すGは、図１の７に示すEである自動車のステアリングハンドルの握りの太さの直径より大きくした、所定の切り抜き寸法である。
【００１８】
また、図１の６に示すＤの寸法は、自動車のステアリングハンドルの実寸法より、小さい寸法が良い。
【００１９】
また、図１の５に示すＣ及び図１の７に示すEの寸法は、自動車のステアリングハンドルの実寸法より、大きい寸法が良い。
【００２０】
前記の各寸法の公差を大きく取る理由として、其々の自動車はステアリングハンドルの形状及び寸法及び取り付け傾斜角度及び材質が異なり、該テーブルを多くの車種に略適合させるためには精度の高い寸法は必要とされないためである。
【産業上の利用可能性】
【００２１】
自動車を利用して作業する配送業及び営業マンなどの場合には、メモや伝票の記入時の筆記台として利用。
【００２２】
また、略水平に保持できるテーブルであり、前記の作業者が携帯型コンピューターの端末機などを操作が容易になる。
【００２３】
また、略水平に保持できるテーブルであり、前記の作業者が車中で食事などを摂る場合には、食事台とした利用。
【００２４】
また、前記の作業者のみでなく、レジャー及び日常の自動車を利用時にも本考案のテーブルは多用途の活用が期待できる。
【図面の簡単な説明】
【００２５】
【図１】該テーブルの平面図である。
【図２】略６５度に傾斜した自動車のステアリングハンドルの下部に該テーブルを装着した状態を示す側面の透視図である。
【図３】略６５度に傾斜した自動車のステアリングハンドルの下部に該テーブルを装着した状態を示す斜視図である。
【図４】略３０度に傾斜した自動車のステアリングハンドルの上部に該テーブルを装着した状態を示す側面の透視図である。
【図５】略３０度に傾斜した自動車のステアリングハンドルの上部に該テーブルを装着した状態を示す斜視図である。
【図６】略６５度に傾斜した自動車のステアリングハンドルの上部に該テーブルを装着した状態を示す側面の透視図である。
【図７】略６５度に傾斜した自動車のステアリングハンドルの上部に該テーブルを装着した状態を示す斜視図である。
【符号の説明】
【００２６】
１  テーブル本体。
２  所定寸法の切り抜き部。
３  所定寸法Aを示す。
４  所定寸法Bを示す。  
５  所定寸法 Cを示す。
６  所定寸法Dを示す。
７  所定寸法Eを示す。
８  所定寸法Fを示す。
９  所定寸法Gを示す。
１０ 
自動車のステアリングハンドル。      
【図１】
0003104933.tif 000003
【図２】
0003104933.tif 000004
【図３】
0003104933.tif 000005
【図４】
0003104933.tif 000006
【図５】
0003104933.tif 000007
【図６】
0003104933.tif 000008
【図７】
0003104933.tif 000009
(57)【要約】      （修正有）【課題】頸部に装着して疲労軽減、ストレス解消、リラックス効果、血流改善、頚椎周辺の自律神経を調整、リンパの流れを良くするためのマイナスイオンを発生する首巻を提供する。【解決手段】微弱な放射線を発生するラジウム鉱石、トリウム鉱石、ラドン等を繊維に含有または塗布し、微弱放射線の電離作用により常時マイナスイオンを発生する繊維で製作する。【選択図】図３
0003104934.tif 000002
【実用新案登録請求の範囲】
【請求項１】
微弱な放射線を発生するラジウム鉱石、トリウム鉱石、ラドン等を繊維に含有または塗布し、微弱放射線の電離作用により常時マイナスイオンを発生する繊維で製作された首巻
【考案の詳細な説明】
【考案の詳細な説明】
【産業の利用分野】
【０００１】この考案は、ラジウム鉱石、トリウム鉱石、ラドン等マイナスイオン発生物質が放出するマイナスイオンを利用した首巻に関するものである。
【背景技術】
【０００２】従来の首巻（ネックウォーマー等）は、寒さを防ぐことが主たる目的であった。
【考案が解決しようとする課題】
【０００３】従来のものでは、頸部に装着して疲労軽減、ストレス解消、リラックス効果、血流改善、頚椎周辺の自律神経を調整、リンパの流れを良くするものがなかった。
【考案を解決しようとする手段】
【０００４】マイナスイオンを発生する繊維で製作された首巻を使用することで頸部に直接マイナスイオンを作用させるようにする。
【考案の効果】
【０００５】１、高密度のマイナスイオン効果を頸部に直接作用させる事によって細胞膜にあるイオンチャンネルの働きによるカチオン効果（ナトリウム、カリウム、カルシウム等のイオン交換作用）により酸性化している血液を弱アルカリ性にして、痛み、凝り、疲労などを除去する作用がある。またマイナスイオンは血管を拡張させて血行を改善、自律神経の正常化と活性化します。
２、同様の作用により、人体の細胞を活性化すると共に、自律神経等の神経機能のバランスを良く保ってくれる。
３、人体に帯電する悪玉静電気を中和する。
４、高密度マイナスイオンの発生で、皮膚局部の周辺の空気浄化がなされるので、皮膚呼吸条件が最良になる。またその局部の消臭作用もある。
５、ラジウム鉱石、トリウム鉱石、ラドン等の放出する遠赤外線により体を癒してくれるので、マイナスイオンとの相乗効果大。
６、ラジウム鉱石、トリウム鉱石、ラドン等の放出する微量の放射線が細胞に刺激を与え、新しい細胞がどんどん増え、体内の新陳代謝が促進されます。これにより、体の免疫力や自然治癒力が高まります。
７、以上により頸部の血流を改善することによって偏頭痛の改善、肩こりの改善、ストレス解消、リラックス効果、女性に多い冷え性の改善、学習中などの集中力を高める効果が期待できる。
８、頸部のリンパの流れを良くし老廃物を流し去る為、顔のむくみ、二重あご、顔やせの効果も期待できる。
９、試作品を作り複数の人に装着して実験したところ、小児喘息の子供の呼吸が楽になった、無呼吸症候群が改善された等、呼吸器系への好結果も出ている。
【図面の簡単な説明】
【図１】伸縮性の首巻の斜視図である。
【図２】着脱しやすくするために、止め具がある首巻の斜視図である。止め具にはマジックバンド、フック、ファスナー等がある。
【図３】使用状態を示す斜視図である。
【符号の説明】
１、  首巻
２、  止め具
【図１】
0003104934.tif 000003
【図２】
0003104934.tif 000004
【図３】
0003104934.tif 000005
(57)【要約】【課題】仏壇の前でお祀りできる盆飾り棚を提供することにより、小スペースで設置及び収納ができるようにする【解決手段】盆飾り棚において、両側版1・1aと、上段板2を蝶番9・9a , 10・10aで、折り畳み自在に形成し、前記両側版前面に下段板3と一体となった固定バー4を固定し、前記両側版後方に固定バー4を固定、上段板2には、7・7の穴を、また、下段板3には、8・8a の穴を設ける。【選択図】  図１
0003104942.tif 000002
【実用新案登録請求の範囲】
【請求項１】
盆飾り棚の幅及び高さを設置予定場所後方の仏壇に合わせた大きさの盆飾り棚
【請求項２】
上段部と２枚の側板部が、蝶番で二つ折り自在に形成されており、側板部前部には下段部棚板を固定し、側板部後部には固定バーを固定することを特徴とした盆飾り棚
【請求項３】
盆飾り棚の上段面の左右両側、及び、下段面の左右両側に竹飾りを立てるための穴を設けることを特徴とする盆飾り棚
【考案の詳細な説明】
【技術分野】
【０００１】
本考案は、毎年お盆に、仏壇の前に置いて仏具やお供え物等を飾る為に用いて、組み立て及び移動が簡単で、小さい面積で使用でき、コンパクトに収納が可能な盆飾り段に関するものである。
【背景技術】
【０００２】
お盆に、御先祖を祀る為、各家庭では盆飾り棚を所有している。従来の盆飾り棚は、その大きさゆえに、組み立てが面倒で設置場所への移動も大変である。そして、使用時に部屋の中である程度の面積を必要とする。また、一年にお盆の時期のみ使用するものであるが、収納にもまとまったスペースを必要とする。
また、盆飾り棚に使用する竹飾りは、盆飾り棚の脚の部分に紐等を使用し固定されている。
【考案の開示】
【考案が解決しようとする課題】
【０００３】
本考案は、毎年お盆に使用する盆飾り棚を仏壇の幅に合わせて作成することで、使用面積を少なく、又、収納スペースを小さくおさえ、またそれによって組み立て及び移動が簡単であり、竹飾りを穴に入れ立てるだけで簡単に設置可能な盆飾り棚を提供しようとするものである。
【課題を解決するための手段】
【０００４】
上記目的を達成するために、請求項1に記載の発明に置いて、盆飾り棚の幅及び高さを
設置予定場所後方の仏壇に合わせた大きさとすること特徴としたものである。
【０００５】
更に、請求項２に記載の発明に置いて、上段部と２枚の側板部が、蝶番で二つ折り自在
に形成されており、側板部前部には下段部棚板を固定し、側板部後部には固定バーを固定することを特徴としたものである。
【０００６】
更に、請求項３に記載の発明に置いて、盆飾り棚の上段面の左右両側、及び、下段面の左右両側に竹飾りを立てるための穴を設けたことを特徴としたものである。
【考案の効果】
【０００７】
上述のように、本考案の「仏壇の前に設置するための盆飾り棚」は、仏壇の幅に合わせた大きさで使用し、盆飾り棚に必要な機能を集約しているため、使用時、収納時共にコンパクトに収まり、現在の住宅事情に適応している。また、竹飾りも、穴に立てるだけで簡単に設置することが出来る。
【実施例】
【０００８】
図１〜図２は、本発明に係る盆飾り棚を組み立てた状態の説明図である。以下、符号を用いて各部の構成を詳述すると、１．１aは、上端が山型にカットされた側板、２は前記側板に、蝶番9・9a , 10・10a で折り畳み自在に固定された上段板である。
固定バー６は、側板1・1a の後方に固定。下段板3と固定バー4は接着されている。
5・5a は３を横架して固定するために、1・１aに接着させている支え板。
【０００９】
図３は、側板１・１aと上段板2を蝶番９・９a ,10・10aで折り畳み自在に固定されたものである。５・５aの支え板が、側板１・１aに接着されている。11・11a , 12・12aは、図４、図５の固定バーの、13・13a , 14・14a の部分と組み合わさり、固定するための切り込みである。穴7・7a は竹飾りの竹を固定するために穴である。
【００１０】
図４は、固定バー６を示したもので、13・13a は図３の12・12a と組み、固定させる切り込みである。図５は、固定バー４と下段板３を接着したもので、14・14aは図３の11・11aと組み合わせ固定させる切り込みである。8・8aは竹飾りの竹を固定するための穴である。図６は図３の部分を折り畳んだ図である。図７は、図６の状態を側面から見た図である。
【００１１】
なお、上記実施例において、飾り棚は二段式であるが、一段式又は三段式であってもよいし、この段数は任意である。また、側板１・１aと上段板２の固定手段は蝶番以外に，例えば木工用ねじ等のものであってもよく、本実施例に限定されない。又、穴７・７a,穴８・８aの位置は、上段板２、下段板3上で、本実施例に限定されず任意である。又、穴７・７a,穴８・８aの形状は、丸形に限定されず任意である。又、側板１・１aの上端の形状は本実施例の山形に限定されず任意である。
【図面の簡単な説明】
【００１２】
【図１】完成後の全体図
【図２】完成後の全体図
【図３】側板及び上段板を蝶番で固定した部分の図面
【図４】後部の固定バーの図面
【図５】下段部と前部固定バーを接合した部品の図面
【図６】「図３」を折り畳んだときの図面
【図７】「図６」を側面から見たときの図
【符号の説明】
【００１３】
１   側板
１a  側板
２   上段板
３   下段板
４   前固定バー
５   支え板
５a  支え板
６   後固定バー
７   穴
７a  穴
８   穴
８a  穴
９   蝶番
９a  蝶番
１０   蝶番
１０a  蝶番
１１   切り込み
１１a  切り込み
１2    切り込み
１2a   切り込み
１3    切り込み
１3a   切り込み
１4    切り込み
１4a   切り込み
【図１】
0003104942.tif 000003
【図２】
0003104942.tif 000004
【図３】
0003104942.tif 000005
【図４】
0003104942.tif 000006
【図５】
0003104942.tif 000007
【図６】
0003104942.tif 000008
【図７】
0003104942.tif 000009
(57)【要約】【課題】  ガラス等を載せたテーブルを安全に使用出来るようにする。【解決手段】    テーブルの甲板部分１に、被せるガラス等の透明素材４と同じ面積の突起した部分２があり、ガラス等の透明素材４とフレーム５を被せた時、甲板の突起２にフレーム５の内側が引っ掛かり、ガラス等の透明素材４とフレーム５が横に滑らないことを可能にした。【選択図】  図１
0003104829.tif 000002
【実用新案登録請求の範囲】
【請求項１】
テーブルの甲板部分に、被せるガラス等の透明素材と同じ面積の突起した部分があり、ガラス等の透明素材とフレームを被せた時、甲板の突起にフレームの内側が引っ掛かり、ガラス等の透明素材とフレームが横に滑らないことを特徴とするテーブル構造。
【考案の詳細な説明】
【考案の詳細な説明】
【技術分野】
【０００１】  本考案は、ガラス等の透明素材を使ったテーブル構造に関する。
【背景技術】
【０００２】  従来は、フラットな甲板にガラスを置いただけのテーブル。
【考案が解決しようとする課題】
【０００３】  従来のテーブル構造ではガラスが甲板上にむき出しとなっている為、横や斜め上からガラスを押すとガラスが横に滑りやすい。
【課題を解決するための手段】
【０００４】  上記課題を解決するために、本考案請求項１のフレーム構造は、甲板に突起がある為、それがフレーム内側に引っ掛かり、ガラス等の透明素材とフレームが横に滑らないことを特徴とする。
【作用】
【０００５】  甲板の突起上面に、写真やポストカード、ポスター、メニュー表等の飾りたい物を置き、さらにその上にガラス等の透明素材を被せ、その周りの甲板部分にフレームを置く。
【実施例】
【０００６】  以下、本考案のフレーム構造における実施例を図面を参照にして説明する。図１はテーブルをセットする際を示している。甲板１に突起部分２があり、突起部分２の上に写真やポストカード、ポスター、メニュー表等の飾りたい物３を置き、その上にガラス等の透明素材４を被せ、突起部分２の周りの甲板１上にフレーム５を置く。なお、突起部分２の高さとガラス等の透明素材４の厚みの合計はフレーム５の厚みと同じとする。それにより、ガラス等の透明素材４はフレーム５の内側上部に引っ掛かり、フレーム５の内側下部は突起部分２に引っ掛かるので、ガラス等の透明素材４とフレーム５は横および斜め上から押しても横に滑らない。【０００７】  図２は全てセットした所を示している。上記にも示した通り、突起部分２の高さとガラス等の透明素材４の厚みの合計はフレーム５の厚みと同じであるので（図１参照）、全てセットした時、ガラス等の透明素材４の上面とフレーム５の上面はフラットになる。【０００８】  上下方向の振動、衝撃でも各パーツが動かないようにするため、全てセットした状態でさらに、甲板１の下面からビス類などでフレーム５を固定しても良い。
【考案の効果】
【０００９】  本考案のテーブル構造は、飾りたい物を挟む事ができ、ガラスが横に滑らないので安全で安心して使用できる。また、フレームのエッジをＲ加工するなどデザインに自由度があり、総合的に見てインテリアとして幅広い可能性がある。
【図面の簡単な説明】
【図１】  テーブルをセットする際の各パーツの斜視図である。
【図２】  テーブルをセットした時の斜視図である。
【符号の説明】
１  甲板
２  突起部分
３  写真やポストカード、ポスター、メニュー表等の飾りたい物
４  ガラス等の透明素材
５  フレーム
６  脚部
【図１】
0003104829.tif 000003
【図２】
0003104829.tif 000004
(57)【要約】【課題】保有水量が少なく、外部に逃げる熱を少なく、有効かつ安全に液化ガス容器に熱を供給できる加温具を提供する。【解決手段】可撓性発泡プラスチックのシートに温水循環回路に従った溝を掘り、それに温水循環用の樹脂製のホースを嵌め、温水流出入口を設け、ホースを嵌め込んだ側にアルミホイルを貼り、裏側を樹脂で被覆する。シートの厚みはホースの直径のほぼ倍ぐらいにする。これを容器に巻きつけ温水ボイラーより供給される温水を循環して容器を加熱する。【選択図】図１
0003104827.tif 000002
【実用新案登録請求の範囲】
【請求項１】
断熱体である合成樹脂製のスポンジ状のシートに、溝を掘って、温水を流すためのホースを嵌め込み、温水流出入口を設け、ホースを嵌め込んだ側の表面にアルミホイルを貼り、裏側を樹脂で被覆した、液化ガス貯蔵容器に巻きつけて使用する液化ガス貯蔵容器加温具。
【請求項２】
容器に接する側に温度センサーを取り付けて温度制御ができるようにしてあることを特徴とする請求項１記載の液化ガス貯蔵容器加温具。
【考案の詳細な説明】
【技術分野】
【０００１】  ガスを安定に取り出すために液化ガスの入っている容器に巻きつけて使用する加温具に関する。
【背景技術】
【０００２】  液化プロパン・ブタンのように加圧状態で液化したガスが入っている容器から、料理店などのように連続して大量のガスを使用する場合、容器内で液体からガスとして気化する際に大量の熱が気化熱として奪われるために液体温度が下がりすぎてガスが気化しにくくなって充分にガスが供給できないことがあった。【０００３】  特に寒冷地において、この問題は深刻であった。この問題を解決するためには、奪われる気化熱に相当する熱を外部より供給してやれば良く、可撓性合成樹脂製袋体で液化ガス貯蔵容器の外周を被覆しその袋体の内部に温水を通水させて熱を供給するものがあった（例えば、特許文献１参照）。【０００４】  これは一種のウォータージャケットであり、袋状なので温水を通水するときには、多くの温水量を必要とした。温水がその袋内を循環するように内面側シートと外面側シートをジグザグ状に循環回路が形成されるように熱溶着しているが、かなり厚いシートを使用しなければ通水時にその圧力で袋が破れる恐れがあった。また外部断熱をしていないために供給熱が容器内を暖めるためだけではなく外部に逃げる無駄な部分が多かった。
［特許文献１］特開２００１−３４９４９６【０００５】  またベーパライザーと呼ばれる装置があり液化ガス貯蔵容器に繋ぎ一定量の液化ガスを液体のまま取り出し、そこでガス化させるのであるが、装置そのものが高価であった。
【考案の開示】
【考案が解決しようとする課題】
【０００６】  保有水量が少なく、外部に逃げる熱を少なく、有効かつ安全に液化ガス容器に熱を供給できる加温具を提供する。
【課題を解決するための手段】
【０００７】  容器に巻きつける加温具として温水式床暖房マットの技術を利用し、可撓性発泡プラスチックのシートに温水循環回路に従った溝を掘り、それに温水循環用の樹脂製のホースを嵌め、温水流出入口を設け、ホースを嵌め込んだ側の表面にアルミホイルを貼り、裏側を樹脂で被覆する。シートの厚みはホースの直径のほぼ倍ぐらいにする。これを容器に巻きつけ温水ボイラーより供給される温水を循環して容器を加熱する。
【考案の効果】
【０００８】  上記考案によれば、温水循環ホースはアルミホイルを介して容器に熱的に接触し、外側は発泡プラスチックの断熱体なので、熱は外部にほとんど逃げずに容器に与えられる。また温水はホースの中を循環するので温水量も少なく、かつ流速は袋に比べて早いので熱は効果的に利用される。
【考案を実施するための最良の形態】
【０００９】  ガスの時間当たりの蒸発量からそれが必要とする気化熱が解るので、容器に熱接触する加温具の面積、温水温度、プラスチックの熱伝導率、ホースが容器に接触する有効接触面積などからホースのピッチを求める。必要ガス量３８ｋｇ／ｈの場合、業務用の容器の直径約１．３ｍ高さ約２ｍとし加温具の高さ１ｍ、ホースの外径１ｃｍとするとホースのピッチは２〜３ｃｍあれば良い。
【実施例】
【００１０】  本考案の加温具を広げたときの温水循環ホースのパターンの１例を図１に概念図として示している。ホースは入り口のところで左に折れて２経路に分かれ、渦巻状に左側の中心に向かい中心で逆転して再び入り口の上に戻ってき、今度は右の経路に入り、同様にして最初の入り口の横に戻ってくるようになっている。図２には加温具の断面の一部を示してある。発泡ポリエチレンシート１に溝２を掘り、ホース３を嵌め込み、表面にはアルミホイル４を貼り裏面は樹脂５で覆ってある。ホースの底にあたる発泡シートの厚みは充分厚いので、断熱効果は十分ある。【００１１】  温水温度がボイラーの方で例えぱ４０度に設定できるのであれぱ、危険性は無いので温水の循環ポンプは回りっぱなしでもかまわないが、この加温具の容器に接触するところに温度センサーを取り付けておいて、所定の温度以下にならないとボイラーのスイッチが入らないようにしておくと、経済的にはさらに良い。
【産業上の利用可能性】
【００１２】  以上説明したように、本考案の液化ガス貯蔵容器加温具を使用すればガスが蒸発するときに奪われる熱が供給されるので、いつもほとんど同じ条件でガスを取り出すことが出来、料理店などでは安心して料理を作ることが出来る。
【図面の簡単な説明】
【００１３】
【図１】温水循環ホースのパターンの１例をしめす概念図。
【図２】加温具の一部断面図
【符号の説明】
【００１４】  １  発泡ポリエチレンシート
２  溝
３  ホース
４  アルミホイル
５  被覆樹脂
【図１】
0003104827.tif 000003
【図２】
0003104827.tif 000004
(57)【要約】【課題】  本考案は布団乾燥機に用いる乾燥袋を人の体型にすることにより、衣類の乾燥と皺のばしを同時に行う。【解決手段】  本考案は人型の袋を作り、その袋の上部に掛けて使用するための紐をつけ、その紐に洗濯バサミをつけることにより、送風前の衣類の落下を防止し、乾燥袋の下部にある送風口を布団乾燥機に取り付け送風することで、衣類の乾燥と皺伸ばしを同時に行う。【選択図】    図１
0003104826.tif 000002
【実用新案登録請求の範囲】
【請求項１】
人の上半身の形の乾燥袋
【請求項２】
人の下半身の形の乾燥袋
【考案の詳細な説明】
【技術分野】
【０００１】  本考案は、布団乾燥機に使う布団袋の形を人の形にし、乾燥する衣類をその袋に着せることにより、衣類の乾燥を行う、乾燥袋に関するものである。
【背景技術】
【０００２】  布団乾燥機を利用した衣類の乾燥方法は、袋の中に入れることで乾燥させていたが、その方法だと衣類が重なり、乾燥までに時間がかかり、また折りたたみ皺ができてしまっていた。衣類をハンガーに掛けたままの状態で乾燥袋に入れる方法もあるが、その場合も衣類が重なる部分ができ、また皺もできる。どちらも重なった部分は乾燥しにくくなり、時間がかかり、皺ができる。
【考案の開示】
【考案が解決しようとする課題】
【０００３】  衣類を乾燥袋に入れて乾燥させる場合、重なった部分の乾きが悪く、時間がかかる。また、皺がより、必要に応じてアイロンをかけることになる。これは時間的、労働的負担である。従って、衣類を乾燥袋に着せることにより、布団乾燥機からの送風で乾燥袋が膨らみ、衣類の皺がのび、衣類の重ならないため、早く乾くことになり、前述の欠点を解決しようとするものである。
【課題を解決するための手段】
【０００４】  本考案は、布団乾燥機に用いる乾燥袋を人の形にし、衣類を人が着用したときの状態のようにすることにより、重なる部分を減らすことができ、送風することで袋が膨らみ、衣類の皺がのび、その状態で乾燥させることにより、問題点を解決している。
【考案の効果】
【０００５】  上述のように、本考案の乾燥袋は衣類の乾燥は勿論、人の形にしたことで衣類を着用した状態で乾燥させるので、皺がのび、時間的にも短時間で乾かすことがてきる。
【考案を実施するための最良の形態】
【０００６】  乾燥袋を吊り下げた状態で使用するため、人の形の乾燥袋の上部に紐をつける。また送風前の乾燥袋に衣類を着せても落下してしまうため、洗濯ばさみを取り付け、その洗濯バサミで衣類を止めることにより落下を防止する。布団乾燥機を床においた状態で使用できるように、送風口は下部につける。
【実施例】
【０００７】  以下、添付図面に従って一実施例を説明する。１の乾燥袋は、送風により膨らむように、ナイロン等適宜素材にて縫製する。
【図面の簡単な説明】
【０００８】
【図１】本考案の人の上半身の形の乾燥袋。
【図２】本考案の人の下半身の形の乾燥袋。
【符号の説明】
【０００９】１  乾燥袋本体
２  ひも
３  洗濯ばさみ
４  送風口
【図１】
0003104826.tif 000003
【図２】
0003104826.tif 000004
(57)【要約】【課題】  スカートの基礎部分（以後  本体言う）に着脱操作の容易なパーツを組み替えることに依り、無限、多種多様なスカートのファッションを提供すること。【解決手段】  図面のスカート本体〔１〕に、スカート本体のファスナー〔２〕とパーツ本体〔８〕のファスナー〔１２〕、スカート本体のファスナー〔３〕とパーツ本体のファスナー〔１３〕、スカート本体のボタン〔４〕とパーツ本体のボタン穴〔９〕によりパーツ〔８〕を、容易に着脱するものである。【選択図】      図１
0003104828.tif 000002
【実用新案登録請求の範囲】
【請求項１】
図面のスカート本体〔１〕に、スカート本体のファスナー〔２〕とパーツ本体〔８〕のファスナー〔１２〕、スカート本体のファスナー〔３〕とパーツ本体のファスナー〔１３〕、スカート本体のボタン〔４〕とパーツ本体のボタン穴〔９〕により、パーツ〔８〕を容易に着脱できることを特徴としたスカート。
【考案の詳細な説明】
【技術分野】
【０００１】本考案は、スカートに関し、詳しくはスカートの本体部分にファスナーとボタンを用い、パーツを容易に着脱するものである。
【背景技術】
【０００２】一般的には、一スカート、一ファションであり、本考案ほどに大幅に組み替える類似性のスカートは無く、スカート本体に多種多様のパーツを組み替える事で、無限のスカートファションを創出することである。
【考案の開示】
【考案が解決しようとする課題】
【０００３】本考案は、スカート本体に、生地、色、形、デザインの異なる多種多様のパーツを着脱する事で、無限のファションを創出するものである。【０００４】パーツ区分は、ファション性、機能性を考慮して自由に選択できること。【０００５】生地によっては、スカート本体、パーツ本体共リバーシブルが可能であること。【０００６】本考案は、スカートのファションの多様性と、簡易な着替えを容易にすることを提供するものである。
【課題を解決するための手段】
【０００７】上記目的を達成するために、請求項１の考案は、スカート本体にファスナーと、ボタンに依り、多種多様なパーツを容易に着脱出来ることが特徴である。
【考案の効果】
【０００８】本考案は、子供から高齢者まで、スカート本体にパーツを容易に着脱出来ること、スカート本体に、多種多様なパーツを組み合わせることにより、無限の変化を楽しめるという、優れた効果がある。【０００９】洗濯直後の部分汚れ、食事汚れ等はパーツを替えることで、全体の洗濯を回避出来ること。【００１０】出先、旅行先等でも、小さなパーツを携帯することで、簡易な着替えが出来ること。
【考案を実施するための最良の形態】
【実施例】
【００１１】生地の厚さが同一であれば、強度、耐久性、ファッション性を考慮することで素材の組み合わせは自由である。
望ましいのは、スカート本体と、パーツ本体が同一素材であること。
【産業上の利用可能性】
【００１２】スカート本体とパーツ本体を、サイケデリックなデザインのものを組み合わせれば、カーニバル等の着替えに着用できるものである。
スカート本体とパーツ本体を、着物生地で組み合わせれば、着物ショウ等のイベント等で着替えができるものである。
【図面の簡単な説明】
【００１３】
【図１】  スカート本体の平面。
【図２】  パーツ本体の平面図。
【符号の説明】
１    スカート本体                    ８    パーツ本体
２    ファスナー                      ９    ボタン穴
３    ファスナー                    １０    ファスナー止まり
４    ボタン                        １１    ファスナー止まり
５    ベルトとうし                  １２    ファスナー
６    ファスナー止まり              １３    ファスナー
７    ファスナー止まり
【図１】
0003104828.tif 000003
【図２】
0003104828.tif 000004
(57)【要約】      （修正有）【課題】小さい円の内外面、小さい湾曲の内外面、更に奥行きのある筒状の内面の切り削りが容易でしかも仕上げが良く、特に漆塗装の場合に於いては、木材の杢目を潰す事もなく、塗装後の美観を損なわず美しく仕上げられる。【解決手段】基体台１に、鎹状のものに刃１１を付け、角度４に３６度の脚３を基体台１の孔６に差し込み保持する。刃部２の出入り調整で、材料の切り削りを薄くまた厚く切り削りが出来る。台頭５を無くし、基体台１の回転が小さくなり、刃部２の長さを１００ｍｍ刃巾を７ｍｍから２１ｍｍとあり、小さい円の内外面、小さい湾曲の内外面、小さい筒状の内面、更に波状材の面が容易に切り削りが出来、切り削り面の仕上りが美しい。【選択図】図１
0003104849.tif 000002
【実用新案登録請求の範囲】
【請求項１】
角柱状であって、その両端より内側の位置に、夫々、孔を設けた基体台と、刃とこの刃の両端から３６度で延出する脚とからなる刃部を備え、前記基体台の孔に、刃部の脚を差し込んだ事を特徴とする鉋。
【考案の詳細な説明】
【技術の分野】
【０００１】  本考案は、木材の小さい円の内外面、大小湾曲の面、更に、筒状の内面を、切り削りに用いる鉋で、切り削りも最良である。
【背景技術】
【０００２】  木材の面取りには、ルーター、トリーマ等を用いられて居る。また大きい面に対しては図５に示す鉋、通称業界では、南京鉋と称する鉋が有り、ヨーロッパでは概ね南京鉋と同型の鉋で、基体台が真チュウ材（包金）で出来た鉋等がある。
【考案の開示】
【考案が解決しようとする課題】
【０００３】  木材加工に、ルーターやトリーマなどの、手機械工具での面取りは、奥行きの有る筒状の内面、小さい円の内外面、大小湾曲の内外面等、手機械工具での切り削りには難があり、切り削り面が粗く、そのままの状態では適さないために、紙ヤスリ等で仕上げすると木材の杢目を潰し、塗装の仕上げを損ない塗装後の美観を損ねる。図５に示す鉋では、小さい円の内外面、大小内外湾曲の面、筒状の内面等の切り削りには不向きで、外に鉋は見当たらない。
【課題を解決するための手段】
【０００４】  この考案の鉋は、角柱状であって、その両端より内側の位置に、夫々、孔を設けた基体台と、刃と、この刃の両端から３６度の角度で延出す脚とからなる刃部を備えてをり、この基体台の孔に、刃部の脚を差し込む様にしたものである。
【考案の効果】
【０００５】  小さい円の内外面、小さい湾曲の内外面、更に奥行きのある筒状の内面の切り削りが容易でしかも仕上げが良く、特に漆塗装の場合に於いては、手機械工具面取りと異なり、手鉋での仕上げでは、木材の杢目を潰す事もなく、塗装後の美観を損なわず美しく仕上げられる。
【考案を実施するための最良の形態】
【０００６】  鉋は、角柱状の基体台１と刃部２から構成され、基体台１は樫材を用い、刃部２は鋼材手作りである。刃部２形態としてはおよそ、鎹に西洋剃刀の刃を付けた様なものである。
刃部２における刃１１の長さ８は１００ｍｍ、刃巾７は７ｍｍから２１ｍｍとあり、脚３が基体台の孔６に差し込まれ、基体台１から刃２の出入りにより、切り削りを薄くまた厚くなる様に調整する。【０００７】  台頭を無くした事により、回転が小さくなり、小いさい筒状の内面から、小さい湾曲の内外面が切り削れ、最も良い切れ味の角度を、刃１１と脚３に３６度の角度を付けた。
【実施例１】
【０００８】  図１は基体台１を表している。この基体台１は樫材であり、長さ２００ｍｍ短編長さ３０ｍｍ厚さ１５ｍｍの角柱状である。刃巾７により基体台の短編長さと厚さが変わるが、基体台の長さ２００ｍｍは不変である。基体台は摩擦により、消耗するので、調整が必要であるため、調整が安易な樫材を使用している。【０００９】  図３において基体台１の、長さ２００ｍｍの両端より内側５０ｍｍに夫々テーパー状の孔６が設けてある。ここに巾部２の脚３が差し込まれ、基体台に刃部２の脚３が差し込まれ、基体台１に刃部２が保持される。基体台１への差し込み程度を変える事で刃１１の出入りを調整し、材料を厚くまた薄く切り削る。【００１０】  仕上げする材料の筒状の奥行きが５０ｍｍ径が３５ｍｍとある時は、刃巾７ｍｍ程度の刃部を使用し、また径が４０ｍｍ以上あるときは、刃巾２１ｍｍ程度の刃部を使用する。例えば、刃巾７ｍｍ、刃巾１０ｍｍ、刃巾１５ｍｍ、刃巾２１ｍｍ等、各種刃巾を有する刃部を取り揃え用意して置き、その中で最も径に合った刃部を使用する事により、切り削り面を美しく加工する事が出来る。【００１１】  唐木材の面を、手鉋の刃１１をごく薄く出して仕上げしたのと、ルーターやトリーマ等、手機械加工で面を取った後、紙ヤスリで研磨仕上げしたのとは、塗装後の美観に差が出る。
【産業上の利用可能性】
【００１２】  木材の小さい面や筒状の内面、小さい湾曲の内外面、小さい円の内外面、波状の面、特に唐木材の杢目を損なわず、美しく仕上げるには、この考案の鉋に勝ものはない。
【図面の簡単な説明】
【００１３】
【図１】  基体を示した斜視図。
【図２】  図１の断面図。
【図３】  基体台の孔を示した斜視図。
【図４】  刃の斜視図。
【図５】  南京鉋の斜視図。
【符号の説明】
【００１４】      １  基体台
２  刃部
３  脚
４  角度
５  台頭
６  孔
７  刃巾
８  刃の長さ
９  台尻
１０  断面Ａ−Ａ
１１  刃
【図１】
0003104849.tif 000003
【図２】
0003104849.tif 000004
【図３】
0003104849.tif 000005
【図４】
0003104849.tif 000006
【図５】
0003104849.tif 000007
(57)【要約】【課題】  大小異なる大きさの容器もぴったりと収納して締付けることができ、吊下げ紐で袋本体全体を安定して吊下げられるようにした包装袋を提供する。【解決手段】  袋本体１の上方に上筒部３を延設し、上筒部の中間部の外側に調整紐を挿通する帯片４を周設し、ここに下段調整紐５を締付け自在に周回装着し、上筒部の上端部を折返して紐挿通孔を形成し、ここに上段調整紐７を締付け自在に周回装着し、また、支持紐９を袋本体の下端縁部から側面に沿って袋本体の上縁部まで固着し、上端部を適度な長さの自由端として紐長さ調節具１０を装着させ、袋本体の対向側面上縁部に連結部材１１を支持する支持紐９を固着し、上記調節具と連結部材とに跨って吊下げ紐１２を渡すように構成した。【選択図】      図１
0003104842.tif 000002
【実用新案登録請求の範囲】
【請求項１】
飲料容器を収納可能な袋本体の上方に柔軟素材の上筒部を延設し、この上筒部の中間部の外側に調整紐を挿通する帯片を周設して紐挿通孔を形成し、ここに下段調整紐を締付け自在に周回して装着し、上筒部の上端部を折返して上端沿いに紐挿通孔を形成し、ここに上段調整紐を締付け自在に周回して装着してなる構成を有する飲料容器用包装袋。
【請求項２】
袋本体は断熱素材と柔軟素材とを積層した材料を縫製し、上筒部は柔軟素材を縫製してなっている請求項１に記載の飲料容器用包装袋。
【請求項３】
支持紐を、その下端部を袋本体の下端縁部に固着するとともに側面に沿って袋本体の上縁部まで固着し、上端部を適度な長さの自由端として紐長さ調節具を装着させ、一方、袋本体の対向側面上縁部に連結部材を支持する支持紐を固着し、上記調節具と連結部材とに跨って吊下げ紐を渡してなる構成を有する請求項１又は２に記載の飲料容器用包装袋。
【考案の詳細な説明】
【技術分野】
【０００１】
本考案は、大小２種類の飲料容器を収納することができる包装袋に関する。
【背景技術】
【０００２】
従来の包装袋は、柔軟袋の上縁沿いに締付け紐が周設してあり、吊下げ紐はその両端部を袋上部に止着してあるものであった。
【考案の開示】
【考案が解決しようとする課題】
【０００３】
袋の上縁沿いを締付けるのみでは、大小異なる大きさの容器をぴったりとがたつかずに収納することができない。また、吊下げ紐を袋上部に止着すると袋上部が破けやすくなる。本考案は、このような従来の問題点を解決する飲料容器用包装袋を提供するものである。
【課題を解決するための手段】
【０００４】
上記課題を解決するために、本考案は、飲料容器を収納可能な袋本体の上方に柔軟素材の上筒部を延設し、この上筒部の中間部の外側に調整紐を挿通する帯片を周設して紐挿通孔を形成し、ここに下段調整紐を締付け自在に周回して装着し、上筒部の上端部を折返して上端沿いに紐挿通孔を形成し、ここに上段調整紐を締付け自在に周回して装着してなる構成を有する飲料容器用包装袋を提供するものである。
【０００５】
上記袋本体は断熱素材と柔軟素材とを積層した材料で縫製し、上筒部は柔軟素材を縫製して構成するのが好ましい。また、支持紐を、その下端部を袋本体の下端縁部に固着するとともに側面に沿って袋本体の上縁部まで固着し、上端部を適度な長さの自由端として紐長さ調節具を装着させ、一方、袋本体の対向側面上縁部に連結部材を支持する支持紐を固着し、上記調節具と連結部材とに跨って吊下げ紐を渡すように構成するのが好ましい。
【考案の効果】
【０００６】
調整紐を上下二段とすることにより、大小２種類の飲料容器、例えば５００ｍｌと３５０ｍｌ容量のペットボトルをいずれも収納でき、いずれもぴったりと上筒部を被せ、ぴったりと紐で締付け包装することができる。
容器本体が収まる袋本体部分は断熱材で保護され、締付け部となる上筒部は柔軟材で大小容器をいずれもぴったりと保持する。吊下げ紐は、袋本体の下端縁から本体側面及び上縁に至るまで固着した支持紐に連結してあるので、包装袋全体を吊下げる構造となり、袋本体の上部を傷めず、被収納物全体を保持することができる。
【考案を実施するための最良の形態】
【０００７】
以下、本考案の一実施形態を図面によって説明する。
本考案に係る包装袋１は、飲料容器例えばペットボトルの胴太の容器本体部分を収納する形状の袋本体２と、その上方に延設した上筒部３を一体的に形成してなっている。
袋本体２は、内側を断熱素材２ａ、外側を柔軟素材２ｂの積層シートにより、小容器例えば３５０ｍｌペットボトルの口部位の高さを有して形成し、その上縁沿いに補強縁材２ｃを巻き付けて止着し、上筒部３の下端縁をその内側に合わせて同時に止着してある。
【０００８】
上筒部３は、大容器例えば５００ｍｌペットボトルの口部位まで至る高さを有した筒状に形成し、その中間部の外周に帯片４を周設し、帯片の上下辺部は上筒部に止着して内側に紐挿通孔を形成し、ここに下段調整紐５を挿通周回させて装着し、紐の両端部は緩め締付け自在に外方に延出させ、この紐両端部は、抜け外れ防止及び締付け状態を保つために係止体８にスライド自在かつ固定可能に挿通させてあり、上筒部３の上端部６は折返して上端沿いに紐挿通孔を有して形成し、ここに上段調整紐７を挿通周回させて装着し、この紐も両端部を上記同様に別の係止体８に挿通させてある。
【０００９】
９は、袋本体２の高さ分よりも若干長い支持紐であり、その下端部を袋本体２の下端縁部に固着するとともに側面に沿って袋本体の上縁部まで固着し、上端部を適度な長さの自由端として紐長さ調節具１０を装着させ、一方、袋本体２の対向側面上縁部に環状の連結部材１１を支持する支持紐９ａを固着し、上記調節具１０と連結部材１１とに跨って、肩掛け可能な適宜長さを有する吊下げ紐１２を渡してある。
【００１０】
上記包装袋１に大容器を収納した状態では、図５に示すように、下段調整紐５は緩めたままにしておいて上段調整紐７を締付ければ、大容器のキャップＰ部分乃至その付近を締付け、上筒部３は容器上部の外周に添った被覆状態となる。小容器を収納した状態では、図６に示すように、上段調整紐７は緩めてままとし、下段調整紐５を締付ければ、小容器のキャップ付近で上筒部３が締付けられるので、容器をがたつかせず、安定的に保持できる。
【図面の簡単な説明】
【００１１】
【図１】本考案に係る包装袋の縦断面図である。
【図２】同包装袋の正面図である。
【図３】同包装袋の背面図である。
【図４】同包装袋の左側面図である。
【図５】大容器を収納し上段調整紐を締付けた状態の包装袋の斜視図である。
【図６】小容器を収納し下段調整紐を締付けた状態の包装袋の斜視図である。
【符号の説明】
【００１２】
１  包装袋、  ２  袋本体、  ２ａ断熱素材、  ２ｂ柔軟素材、  ２ｃ補強縁材、
３  上筒部、  ４  帯片、  ５  下段調整紐、  ６  上端部、  ７  上段調整紐、
８  係止体、  ９，９ａ  支持紐、  １０  紐長さ調節具、  １１  連結部材、
１２  吊下げ紐。
【図１】
0003104842.tif 000003
【図２】
0003104842.tif 000004
【図３】
0003104842.tif 000005
【図４】
0003104842.tif 000006
【図５】
0003104842.tif 000007
【図６】
0003104842.tif 000008
(57)【要約】      （修正有）【課題】飲みもの用ペットボトル容器の中のものをどれだけ使用したか、又どれだけ口にしたかが一目でわかるためのものである。【解決手段】飲みもの用ペットボトル容器に目盛り表示をつけたもの。【選択図】図１
0003104850.tif 000002
【実用新案登録請求の範囲】
【請求項１】
目盛り表示をつけた飲み物用ペットボトル容器。
【考案の詳細な説明】
【考案の詳細な説明】
この考案は、ペットボトルの中の飲み物をどれだけ飲んだかまたどれだけ他の容器に注いだかが一目でわかるようにするためのものです。
今現在の飲みもの用ペットボトル容器では、水量計や計量カップなどがないと中の飲み物をどれだけ飲んだか、どれだけ他の容器に注いだかがわかりません。たとえば、水分の取る量を制限する人や、また病気の人がくすりをある量の水に薄めたりするときに量がわからず不便である。
本案は、飲みもの用ペットボトル容器に目盛り表示ＣＣ（シーシー）やｍｌ（ミリリットル）やＬ（リットル）といった目盛りをつけることにより上記の人たちやそうでない人たちにもちょうほうされるようにするためのものです。（目盛り単位は、ＣＣでもｍｌでもＬでも見やすければどれでもよい。）
表示のしかたは、ペットボトルの容器の表面を立体的（凸凹）に目盛りを浮き出す方法（指で触ってわかる方法）やペットボトルに直接印刷する方法、またはペットボトルを包んでいるものに印刷するなど表示のしかたはどういう方法でもよい。また目盛りの刻み方は、細かくても大きくてもよい。また区切りのよい目盛りを太くして見やすくしてもよい、また区切りのよい目盛りに何ＣＣや何ｍｌや何Ｌといった容量表示をつけてもよい。図１−（３）
なおこの案は、水・お茶・飲料水などまた大きさ・容量・形はとわずすべての飲みもの用ペットボトル容器に表示ができるものである。
【図面の簡単な説明】
【図１】  本案の一例図
【符号の説明】
（１）は飲みもの用ペットボトル容器（大きさ・容量・形は一例です）
（２）は目盛りの一例です
（３）は一例で区切りのよい目盛りに容量表示をつけたものです
【図１】
0003104850.tif 000003
(57)【要約】      （修正有）【課題】食品の腐敗を抑制し、鮮度を保持することが出来る容器を提供する。【解決手段】食中毒の予防や食品の鮮度を保持する目的で考案したものであり、微弱放射性物質２を含む天然鉱石を微粉末化し、樹脂に混入して射出成形又は吹き出し成形１を可能とし、鉱石の持つ抗菌機能及び鮮度保持機能を容器自体に付加した、安価で長期間にわたって効果を持続できる容器を提供するものである。【選択図】図１
0003104851.tif 000002
【実用新案登録請求の範囲】
【請求項１】
微弱放射性物質を含有する鉱石を微粉末化したものを混入して成型した、タッパ−や給食用の弁当箱など箱状又は筒状の食品保存を目的とする容器。
【請求項２】
微弱放射性物質を含有する鉱石を微粉末化したものを混入して成型した、液状食品や飲料水を保存するビン状容器。
【請求項３】
微弱放射性物質を含有する鉱石を微粉末化したものを混入して成形したシ−ト及び袋状の容器。
【考案の詳細な説明】
【考案の詳細な説明】
【０００１】  ［考案の属する技術分野］
本考案は、微弱な放射線を放出する天然鉱石を微粉末にしたものを樹脂などに混入して成型加工し、抗菌性及び鮮度保持効果を付加した食品保存容器に関するものである。
【０００２】  ［従来の技術］
従来の食品保存容器は、蓋をすることにより外部の空気と接触することを断ち酸化による劣化を抑制するものであった。
【０００３】又、食品を入れた後に、容器内部の空気を抜いて真空とすることにより、長期保存を可能にしたものもある。
【０００４】  ［考案が解決しようとする課題］
しかし、これらの現在市販されている種々の食品保存容器は、完全に密封することが出来ても、食品と同時に封入された空気中の酸素による酸化を防ぐことは不可能である。又容器内部の空気を抜き取り真空状態にするには、特別なポンプなどが必要であり一般的ではない。
【０００５】本考案は、上記のような問題点を解消し、簡易に食品を投入するだけで腐敗を抑制し、鮮度を保持することが出来る容器を提供することにある。
【０００６】  ［問題を解決する手段］
上記目的を達成するため、第１考案では微弱放射性物質を含有する鉱石を微粉末化したものを混入した樹脂を射出成型により箱状及び筒状とし、固形食品を保存する容器とした。
【０００７】第２考案は、微弱放射性物質を含有する鉱石を微粉末化したものを混入した樹脂を射出成型によりビン状とし、液状食品や清涼飲料を保存する容器とした。
【０００８】第３考案は、微弱放射性物質を含有する鉱石を微粉末化したものを混入した樹脂を吹き出し成型により袋状とし、野菜などの保存袋とした。
【０００９】  ［作用］
本考案に用いる鉱石は天然に産出する鉱石で、微弱な放射線を放出する成分（トリウム及びウラン）や遠赤外線を放出する成分（ジルコニュウム）を含み、これらの作用を利用したものである。この鉱石を微粉末化し、樹脂に混入し、射出成型することにより安価に大量に生産することが可能である。
このように成型された容器からは、微弱な放射線や遠赤外線が半永久的に放出される。微弱な放射線の１つであるガンマ−線は、細菌やウイルスの核を破壊し、増殖を防ぎ、又同時に放出されるベ−タ−線は電子（マイナスイオン）と呼ばれ、容器内に封入された酸素などからの酸化を防ぎ、さらに還元作用により、食品の鮮度を保持することができるものである。
【００１０】  ［考案の実施の形態］
本考案は予め調整された鉱石の微粉末をマスタ−パッチ法により樹脂に混入して、射出成型機及び吹き出し成型機により成形したものである。
【００１１】  ［実施例］
以下、図面に示した実施例を説明する。図１において、１は箱状に成形された給食弁当の容器である。１には放射性物質を含む鉱石の微粉末２を混入させてある。図２に示したものは、筒状に成形されたタッパ−である。また図３はビン状に成形されたボトルであり、図４−１は筒状に成形されたものから作成した食品保存袋であり、図４−２はフイルム状に成形した物である。
【００１２】また、本考案は、米など穀類を多量に貯蔵する容器や野菜や花又鮮魚などを輸送する大型の通い箱やストッカ−を製造することもできる。
【００１３】抗菌デ−タ−を表１に示す。表１の試験結果から明らかなように、ブランクにおける生菌数は増加しているにもかかわらず、試験片においては激減していることがわかる。
【００１４】  ［考案の効果］
本考案では、放射性物質を含有する鉱石の微粉末を樹脂に混入して、成形することにより、容易に食品容器を安価に製造する事が出来、食品の鮮度を保持するだけでなく、衛生的にも食中毒を予防することができるものである。
【００１５】調整された鉱石微粉末の放射能濃度及び成形した容器表面より放出される放射線当量率を表２に示す。
表１  抗菌性能評価試験
抗菌性試験
ＪＩＳ  Ｚ  ２８０１−２０００５．２プラスチック製品などの試験方法
使用菌種：黄色ぶどう球菌・大腸菌・ＭＲＳＡ
試験片  ：５×５ｃｍ
前処理  ：無負荷
試験結果
0003104851.tif 000003
表２  放射線測定値
測定区分：ＧＭカウンタ−による測定
測定機器：アロカ社製ＴＣＳ−１６１
測定方法：試料表面の放射線当量率を測定した。１分間測定して、測定値の最大値と最小値を記録した。同様におなじ場所で、バックグランド（ＢＧ）の放射線当量率の測定を行い、最大値と最小値を記録した。
測定結果：測定値は以下の表のとおりである。試料の表面線当量率はＢＧの線当量率と顕著な差がなかった。
0003104851.tif 000004
【図面の簡単な説明】［図１］本考案の実施例を示す箱状に成形された給食用弁当箱
［図２］本考案の実施例を示す筒状に成形されたダッパ−
［図３］本考案の実施例を示すビン状に成形されたボトル
［図４−１］本考案の実施例を示す袋
［図４−２］本考案の実施例を示すシ−ト
【符号の説明】
１：容器本体
２：鉱石の微粉末
【図１】
0003104851.tif 000005
【図２】
0003104851.tif 000006
【図３】
0003104851.tif 000007
【図４−１】
0003104851.tif 000008
【図４−２】
0003104851.tif 000009